(57)【要約】  キャリアアグリゲーションを行うユーザ装置において、前記キャリアグリゲーションに使用されるセルをタイマの満了に基づき非アクティブ化するタイマ制御を行う制御部と、基地局から、前記制御部において使用されるタイマのタイマ値を含む設定情報を受信する受信部と、を備え、前記キャリアグリゲーションに使用される複数のセルに共通の共通タイマ値と、セル毎に指定される個別タイマ値とを含む設定情報を受信した場合に、前記制御部は、前記個別タイマ値を、指定されたセルに適用してタイマ制御を行うとともに、個別タイマ値の指定がないセルが使用されている場合に、当該セルに対して前記共通タイマ値を適用してタイマ制御を行うように構成される。
2016010001.tif 000002
【特許請求の範囲】
【請求項１】
キャリアアグリゲーションによりユーザ装置と基地局との間で通信を行う移動通信システムにおける前記ユーザ装置であって、
前記キャリアグリゲーションに使用されるセルをタイマの満了に基づき非アクティブ化するタイマ制御を行う制御部と、
前記基地局から、前記制御部において使用されるタイマのタイマ値を含む設定情報を受信する受信部と、を備え、
前記受信部により、前記キャリアグリゲーションに使用される複数のセルに共通の共通タイマ値と、セル毎に指定される個別タイマ値とを含む設定情報を受信した場合に、前記制御部は、前記個別タイマ値を、指定されたセルに適用してタイマ制御を行うとともに、個別タイマ値の指定がないセルが使用されている場合に、当該セルに対して前記共通タイマ値を適用してタイマ制御を行う
ことを特徴とするユーザ装置。
【請求項２】
前記受信部が、前記個別タイマ値を含まずに前記共通タイマ値を含む設定情報を前記基地局から受信した場合に、前記制御部は、各セルに対して当該共通タイマ値を適用してタイマ制御を行う
ことを特徴とする請求項１に記載のユーザ装置。
【請求項３】
前記受信部が、前記基地局から前記個別タイマ値の変更指示を受信した場合に、前記制御部は、当該個別タイマ値の対象となるセルのタイマを再起動し、変更後の個別タイマ値を適用する
ことを特徴とする請求項１又は２に記載のユーザ装置。
【請求項４】
前記受信部が、前記基地局から前記個別タイマ値の変更指示を受信した場合に、前記制御部は、当該個別タイマ値の対象となるセルを非アクティブ化又は削除し、当該セルがアクティブ化されたときに当該セルに前記変更指示に係る個別タイマ値を適用する
ことを特徴とする請求項１又は２に記載のユーザ装置。
【請求項５】
前記受信部により、共通タイマ値と、１つ又は複数の個別タイマ値とを含む設定情報を受信した場合に、前記制御部は、各個別タイマ値と共通タイマ値とを比較し、共通タイマ値と一致する個別タイマ値が存在する場合に、前記設定情報に異常があると判定する
ことを特徴とする請求項１ないし４のうちいずれか１項に記載のユーザ装置。
【請求項６】
前記制御部は、前記ユーザ装置が個別タイマ値を適用可能であることを示す能力情報を前記基地局に送信する
ことを特徴とする請求項１ないし５のうちいずれか１項に記載のユーザ装置。
【請求項７】
前記タイマ制御の対象となるセルはＳＣｅｌｌであることを特徴とする請求項１ないし６のうちいずれか１項に記載のユーザ装置。
【請求項８】
キャリアアグリゲーションを行うユーザ装置と基地局とを備える移動通信システムであって、
前記ユーザ装置は、
前記キャリアグリゲーションに使用されるセルをタイマの満了に基づき非アクティブ化するタイマ制御を行う制御部と、
前記基地局から、前記制御部において使用されるタイマのタイマ値を含む設定情報を受信する受信部と、を備え、
前記基地局は、
前記キャリアグリゲーションに使用される複数のセルに共通の共通タイマ値を含む設定情報、又は、当該共通タイマ値とセル毎に指定される個別タイマ値との両方を含む設定情報を前記ユーザ装置に送信する送信部を備え、
前記ユーザ装置は、前記受信部により、前記共通タイマ値と前記個別タイマ値とを含む設定情報を受信した場合に、前記制御部により、前記個別タイマ値を、指定されたセルに適用してタイマ制御を行うとともに、個別タイマ値の指定がないセルが使用されている場合に、当該セルに対して前記共通タイマ値を適用してタイマ制御を行う
ことを特徴とする移動通信システム。
【請求項９】
キャリアアグリゲーションによりユーザ装置と基地局との間で通信を行う移動通信システムにおける前記ユーザ装置が実行する非アクティブ化タイマ制御方法であって、
前記キャリアグリゲーションに使用されるセルをタイマの満了に基づき非アクティブ化するタイマ制御で用いられる当該タイマのタイマ値を含む設定情報を前記基地局から受信する受信ステップと、
前記タイマ制御を行う制御ステップと、を備え、
前記ユーザ装置は、前記受信ステップにおいて、前記キャリアグリゲーションに使用される複数のセルに共通の共通タイマ値と、セル毎に指定される個別タイマ値とを含む設定情報を受信した場合に、前記制御ステップにおいて、前記個別タイマ値を、指定されたセルに適用してタイマ制御を行うとともに、個別タイマ値の指定がないセルが使用されている場合に、当該セルに対して前記共通タイマ値を適用してタイマ制御を行う
ことを特徴とする非アクティブ化タイマ制御方法。
【発明の詳細な説明】
【技術分野】
【０００１】
本発明は、移動通信システムに関連するものであり、特に、キャリアアグリゲーションにおけるＳＣｅｌｌの非アクティブ化制御に関連するものである。
【背景技術】
【０００２】
ＬＴＥ−Ａｄｖａｎｃｅｄでは、ＬＴＥとのバックワードコンパチビリティを保ちつつ、ＬＴＥを上回るスループットを実現するために、ＬＴＥでサポートされている帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている（例えば非特許文献１参照）。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートするＬＴＥ方式におけるセルと同様のセルである。【０００４】
ＳＣｅｌｌは、ＰＣｅｌｌに追加されてユーザ装置ＵＥに対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、ＭＡＣ（Ｍｅｄｉａ  Ａｃｃｅｓｓ  Ｃｏｎｔｒｏｌ）レイヤにおいてアクティブ化することで初めて通信可能（スケジューリング可能）となるセルである。ＳＣｅｌｌは基地局ｅＮＢからのＭＡＣ信号により、アクティブ化（ａｃｔｉｖａｔｉｏｎ）／非アクティブ化（ｄｅａｃｔｉｖａｔｉｏｎ）が制御される。【０００５】
なお、ＰＣｅｌｌは、ＴＤＤであれば１つのＣＣにより構成され、ＦＤＤであれば上りのＣＣと下りのＣＣにより構成される。また、ＳＣｅｌｌは、ＴＤＤであれば１つのＣＣにより構成され、ＦＤＤであれば、下りのＣＣ（及び必要に応じて上りのＣＣ）により構成される。また、ＰＣｅｌｌやＳＣｅｌｌ等の「セル」をＣＣと同義で使用する場合がある。
【先行技術文献】
【非特許文献】
【０００６】
【非特許文献１】３ＧＰＰ  ＴＳ  ３６．３００  Ｖ１２．１．０  （２０１４−０３）
【非特許文献２】３ＧＰＰ  ＴＳ  ３６．３３１  Ｖ１２．１．０  （２０１４−０３）
【非特許文献３】３ＧＰＰ  ＴＳ  ３６．３２１  Ｖ１０．１０．０  （２０１３−１２）
【非特許文献４】３ＧＰＰ  ＴＳＧ−ＲＡＮ  ＷＧ２  ＃８６  １９−２３  Ｍａｙ  ２０１４  Ｒ２−１４２４８３
【発明の概要】
【発明が解決しようとする課題】
【０００７】
ＬＴＥではＳＣｅｌｌ非アクティブ化タイマ（ｓＣｅｌｌＤｅａｃｔｉｖａｉｏｎＴｉｍｅｒ、以下、"非アクティブ化タイマ"あるいは"タイマ"と呼ぶ）により、ＳＣｅｌｌを非アクティブ化する制御が行われる（非特許文献２、３参照）。基本的に、ユーザ装置ＵＥは、ＳＣｅｌｌがアクティブであるときに、ＰＤＣＣＨ（下り又は上りのリソース割り当て）を受信したら、当該ＳＣｅｌｌに関連付けられた非アクティブ化タイマを再起動し、ＰＤＣＣＨを受信せずに非アクティブ化タイマが満了したときに当該ＳＣｅｌｌを非アクティブ化する制御を行う。【０００８】
ＬＴＥのＲｅｌ−１１までのＣＡにおいては、非アクティブ化タイマの値は、ユーザ装置ＵＥ単位でのみ設定可能であるため、単一の設定値が全てのＳＣｅｌｌに対して適用される。このような仕様は、タイマの値がサービスのトラヒック特性（例えば、ｉｎｔｅｒ−ｐａｃｋｅｔ  ａｒｒｉｖａｌ  ｔｉｍｅ）によって決定されることを想定して定められたものである。しかし、ユーザ装置ＵＥ単位（つまり、ＳＣｅｌｌ共通に）非アクティブ化タイマの値を設定する場合には、以下で説明するような課題がある。【０００９】
図１は、この課題を説明する前提となるシステム構成を示す図である。図１に示すように、当該システムでは、基地局ｅＮＢが、３方向のそれぞれについて、マクロセルとしてのＰＣｅｌｌとＳＣｅｌｌ＃１を形成し、更に、基地局ｅＮＢから延びるＲＲＨ（Ｒｅｍｏｔｅ  Ｒａｄｉｏ  Ｈｅａｄ）により、スモールセルであるＳＣｅｌｌ＃２を形成することで、ＣＡを構成している（ＨｅｔＮｅｔシナリオ）。【００１０】
図２、図３は、図１の構成において、全ＳＣｅｌｌに対して同一のタイマ値を適用する場合の課題を説明する図である。図２は、タイマ値が短い場合の例を示し、図３は、タイマ値が長い場合の例を示している。【００１１】
図２に示すように、タイマ値が短い場合、ユーザ装置ＵＥがＳＣｅｌｌ＃１とＳＣｅｌｌ＃２のそれぞれでＰＤＣＣＨを受信した後、短い時間でタイマが満了し、ＳＣｅｌｌ＃１とＳＣｅｌｌ＃２が非アクティブ化される。この場合、基地局ｅＮＢは、すぐにスケジューリングができなくなるため、遅延のためレスポンスが劣化し、スモールセルへのオフロード効果も小さくなる。ただし、ユーザ装置ＵＥにおいてバッテリーセービング効果が大きいという利点がある。図３に示すように、タイマ値が長い場合、基地局ｅＮＢは、スケジューリング機会が増すため、レスポンスが向上し、スモールセルへのオフロード効果は大きくなる。しかし、ユーザ装置ＵＥにおいてバッテリー消費が大きくなるという問題がある。【００１２】
そこで、Ｒｅｌ−１２においてタイマ値をＳＣｅｌｌ個別で設定できるようにすることが検討されている（非特許文献４参照）。【００１３】
しかしながら、ＳＣｅｌｌ個別のタイマ値を設定できるようにする際、どのようにＲＲＣでシグナリングを行うかが明確でなく、単に個別で設定できるような構成とすると、バックワードコンパチビリティが担保できない。例えば、ユーザ装置ＵＥは、基地局ｅＮＢのリリース（Ｒｅｌ番号）を把握できないので、ＳＣｅｌｌ個別のタイマ値を期待しても、実際には基地局ｅＮＢはＲｅｌ−１１までしか対応していなくて、ユーザＵＥ毎のタイマ値（ＳＣｅｌｌ共通のタイマ値）を指示してくる可能性がある。このような場合、ユーザ装置ＵＥが適切にタイマ値を設定できず、ＳＣｅｌｌの非アクティブ化タイマ制御が適切に行われずに、バッテリ浪費等が生じる可能性がある。【００１４】
本発明は上記の点に鑑みてなされたものであり、キャリアアグリゲーションにおけるセルの非アクティブ化タイマ制御のためにセル共通のタイマ値の設定が行われる移動通信システムにおいて、セル個別のタイマ値を設定する場合に、適切に非アクティブ化タイマ制御を行うことを可能とする技術を提供することを目的とする。
【課題を解決するための手段】
【００１５】
本発明の実施の形態によれば、キャリアアグリゲーションによりユーザ装置と基地局との間で通信を行う移動通信システムにおける前記ユーザ装置であって、
前記キャリアグリゲーションに使用されるセルをタイマの満了に基づき非アクティブ化するタイマ制御を行う制御部と、
前記基地局から、前記制御部において使用されるタイマのタイマ値を含む設定情報を受信する受信部と、を備え、
前記受信部により、前記キャリアグリゲーションに使用される複数のセルに共通の共通タイマ値と、セル毎に指定される個別タイマ値とを含む設定情報を受信した場合に、前記制御部は、前記個別タイマ値を、指定されたセルに適用してタイマ制御を行うとともに、個別タイマ値の指定がないセルが使用されている場合に、当該セルに対して前記共通タイマ値を適用してタイマ制御を行うユーザ装置が提供される。【００１６】
また、本発明の実施の形態によれば、キャリアアグリゲーションを行うユーザ装置と基地局とを備える移動通信システムであって、
前記ユーザ装置は、
前記キャリアグリゲーションに使用されるセルをタイマの満了に基づき非アクティブ化するタイマ制御を行う制御部と、
前記基地局から、前記制御部において使用されるタイマのタイマ値を含む設定情報を受信する受信部と、を備え、
前記基地局は、
前記キャリアグリゲーションに使用される複数のセルに共通の共通タイマ値を含む設定情報、又は、当該共通タイマ値とセル毎に指定される個別タイマ値との両方を含む設定情報を前記ユーザ装置に送信する送信部を備え、
前記ユーザ装置は、前記受信部により、前記共通タイマ値と前記個別タイマ値とを含む設定情報を受信した場合に、前記制御部により、前記個別タイマ値を、指定されたセルに適用してタイマ制御を行うとともに、個別タイマ値の指定がないセルが使用されている場合に、当該セルに対して前記共通タイマ値を適用してタイマ制御を行う移動通信システムが提供される。【００１７】
また、本発明の実施の形態によれば、キャリアアグリゲーションによりユーザ装置と基地局との間で通信を行う移動通信システムにおける前記ユーザ装置が実行する非アクティブ化タイマ制御方法であって、
前記キャリアグリゲーションに使用されるセルをタイマの満了に基づき非アクティブ化するタイマ制御で用いられる当該タイマのタイマ値を含む設定情報を前記基地局から受信する受信ステップと、
前記タイマ制御を行う制御ステップと、を備え、
前記ユーザ装置は、前記受信ステップにおいて、前記キャリアグリゲーションに使用される複数のセルに共通の共通タイマ値と、セル毎に指定される個別タイマ値とを含む設定情報を受信した場合に、前記制御ステップにおいて、前記個別タイマ値を、指定されたセルに適用してタイマ制御を行うとともに、個別タイマ値の指定がないセルが使用されている場合に、当該セルに対して前記共通タイマ値を適用してタイマ制御を行う非アクティブ化タイマ制御方法が提供される。
【発明の効果】
【００１８】
本発明の実施の形態によれば、キャリアアグリゲーションにおけるセルの非アクティブ化タイマ制御のためにセル共通のタイマ値の設定が行われる移動通信システムにおいて、セル個別のタイマ値を設定する場合でも、適切に非アクティブ化タイマ制御を行うことが可能となる。
【図面の簡単な説明】
【００１９】
【図１】課題を説明する前提となるシステム構成図である。
【図２】ＵＥ単位のｓＣｅｌｌＤｅａｃｔｉｖａｔｉｏｎＴｉｍｅｒ（短い場合）に関する動作を説明するための図である。
【図３】ＵＥ単位のｓＣｅｌｌＤｅａｃｔｉｖａｔｉｏｎＴｉｍｅｒ（長い場合）に関する動作を説明するための図である。
【図４】本発明の実施の形態に係る通信システムの構成図である。
【図５】本発明の実施の形態における通信システムの動作例１を説明するための図である。
【図６】個別タイマ値が適用される場合のタイマ制御例を説明するための図である。
【図７】本発明の実施の形態における通信システムの動作例２を説明するための図である。
【図８】本発明の実施の形態における通信システムの動作例３を説明するための図である。
【図９】本発明の実施の形態における通信システムの動作例４を説明するための図である。
【図１０】個別タイマ値の設定変更を行う場合の動作例を説明するための図である。
【図１１Ａ】個別タイマ情報を有するＲＲＣメッセージの例を示す図である。
【図１１Ｂ】個別タイマ情報を有するＲＲＣメッセージの例を示す図である。
【図１２】ユーザ装置ＵＥの構成図である。
【図１３】基地局ｅＮＢの構成図である。
【図１４】ユーザ装置ＵＥの動作例を示すフローチャートである。
【発明を実施するための形態】
【００２０】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態では、非アクティブ化タイマ制御の対象をＳＣｅｌｌとしているが、非アクティブ化タイマ制御の対象は他の種類のセル（例：ＰＣｅｌｌ）であってもよい。また、本実施の形態では、ＬＴＥの移動通信システムを対象とするが、本発明はＬＴＥに限らず他の移動通信システムにも適用可能である。また、本明細書及び特許請求の範囲では、特に断らない限り、「ＬＴＥ」の用語は３ＧＰＰのＲｅｌ−１２、もしくは、Ｒｅｌ−１２以降の方式の意味で使用する。
【００２１】
（システムの全体構成、動作概要）
図４に、本発明の実施の形態における通信システムの構成図を示す。図４に示すように、本実施の形態における通信システムは、基地局ｅＮＢとユーザ装置ＵＥとを含むシステムである。図４では、基地局ｅＮＢとユーザ装置ＵＥはそれぞれ１つずつ示されているが、これは図示の便宜上のものであり、それぞれ複数存在してもよい。
【００２２】
また、図４の例では、基地局ｅＮＢ自身が無線部を有するとともに、基地局ｅＮＢから離れた場所にも無線部（ＲＲＨ）が設置される。当該無線部は基地局ｅＮＢの一部であり、基地局ｅＮＢと例えば光ファイバで接続される。本実施の形態では、図１に示したシナリオと同様に、ＰＣｅｌｌとＳＣｅｌｌによりＣＡが可能となっている。以下、従来技術でも用いられているユーザ装置単位のタイマ値を共通タイマ値（１ＵＥ内でＳＣｅｌｌ間で共通の意味）と呼び、ＳＣｅｌｌ単位で設定されるタイマ値を個別タイマ値と呼ぶ。
【００２３】
本実施の形態では、バックワードコンパチビリティを保ちつつ、ＳＣｅｌｌ個別のタイマ値設定ができるようなシグナリング構成を実現している。
【００２４】
すなわち、本実施の形態では、まず基地局ｅＮＢは、ＲＲＣシグナリングにより、共通のタイマ値に加えて、必要に応じて個別タイマ値もユーザ装置ＵＥに通知することとしている。
【００２５】
「必要に応じて」とは、例えば、基地局ｅＮＢが、マクロセルのＳＣｅｌｌからスモールセルのＳＣｅｌｌへトラヒックを遷移（オフロード）させることを意図して、マクロセルのＳＣｅｌｌの個別タイマ値を短くし、スモールセルのＳＣｅｌｌの個別タイマ値を長くしたいような場合を想定している。このような状況になく、個別タイマ値設定の必要がない場合には、共通タイマ値のみを通知することとしてよい。
【００２６】
また、「必要に応じて」に関して、本実施の形態では、ユーザ装置ＵＥから基地局ｅＮＢに通知されるリリース番号等の能力情報により、基地局ｅＮＢは当該ユーザ装置ＵＥが個別タイマ値に対応しているか否かを判断でき、基地局ｅＮＢは、当該ユーザ装置ＵＥが個別タイマ値に対応していないと判断した場合には、個別タイマ値をユーザ装置ＵＥに通知しなくてもよい。
【００２７】
また、個別タイマ値は、ＳＣｅｌｌ個々に設定されるものであり、対象とするＳＣｅｌｌを指定する必要があるため、基地局ｅＮＢは、個別タイマ値を通知する際には、対象とするＳＣｅｌｌの識別番号（インデックス）とセットで通知する。尚、識別番号は当該ＳＣｅｌｌを識別できるものであればどのようなものでもよく、例えば、ＳＣｅｌｌのＣｅｌｌ  Ｉｎｄｅｘ（ＰＣｅｌｌも含めたＣｅｌｌの識別番号）が用いられてもよい。以下、個別タイマ値とＳＣｅｌｌ識別番号のセットを個別タイマ情報と呼ぶことにする。「個別タイマ情報」が複数のＳＣｅｌｌに関するものである場合、「個別タイマ情報」には、（ＳＣｅｌｌ１、タイマ値１）、（ＳＣｅｌｌ２、タイマ値２）、...．のように上記のセットが複数存在する。
【００２８】
個別タイマ値に対応している（個別タイマ値を適用したタイマ制御を行うことができる）ユーザ装置ＵＥについて、前述したように基地局ｅＮＢはそのことを把握している。基地局ｅＮＢが当該ユーザ装置ＵＥに対してＲＲＣシグナリングにより共通タイマ値と個別タイマ情報を送信すると、これを受信したユーザ装置ＵＥは、個別タイマ情報により指定されたＳＣｅｌｌに対して個別タイマ値を適用し、当該ＳＣｅｌｌについて個別タイマ値による非アクティブ化制御を行う。個別タイマ情報により指定されなかったＳＣｅｌｌについては、ユーザ装置ＵＥは、共通タイマ値を適用して非アクティブ化制御を行う。
【００２９】
個別タイマ値に対応している基地局ｅＮＢは、ユーザ装置ＵＥが個別タイマ値に対応しているか否かを把握しているから、当該基地局ｅＮＢは、各ユーザ装置ＵＥにおいて動作する各ＳＣｅｌｌのタイマと同期したタイマを保持でき、ユーザ装置ＵＥにおけるＳＣｅｌｌのアクティブ化／非アクティブ化の状態を把握でき、スケジューリング等を適切に行うことが可能である。
【００３０】
また、本実施の形態では、個別タイマ値に対応していない基地局ｅＮＢは、個別タイマ値に対応しているユーザ装置ＵＥとの間で従来と同様の共通タイマ値に基づく動作を行うことができる。
【００３１】
（動作例）
以下、本実施の形態に係る通信システムにおけるいくつかの動作例をシーケンス図を参照して説明する。以下の各例において、個別タイマ値に対応している（個別タイマ値を通知可能な）基地局ＵＥは、ユーザ装置ＵＥが個別タイマ値に対応しているか否かを把握可能であり、それに応じた動作が可能である。一方、個別タイマ値に対応しない基地局ＵＥは、ユーザ装置ＵＥが共通タイマ値のみに対応するとした動作を行うものとする。また、ユーザ装置ＵＥは、基地局ｅＮＢが個別タイマ値に対応しているか否かを把握できないものとする。
【００３２】
また、以下の動作例における信号送受信はＲＲＣメッセージにより行われるが、これに限定されるわけではなく、他のメッセージ（ＭＡＣ信号等）で行うこととしてもよい。また、以下の例は本実施の形態に関わる主要な信号のみを示しており、アクティブ化のための信号等は図示していない。
【００３３】
＜動作例１＞
まず、図５を参照して動作例１を説明する。動作例１は、ユーザ装置ＵＥが個別タイマ値に対応し、基地局ｅＮＢも個別タイマ値に対応している場合の例である。
【００３４】
基地局ｅＮＢがユーザ装置ＵＥに対してＳＣｅｌｌ追加指示を送信することにより（ステップ１０１）、ユーザ装置ＵＥに１つ又は複数のＳＣｅｌｌが設定されるとともに、基地局ｅＮＢがユーザ装置ＵＥに対して共通タイマ値と個別タイマ情報を送信する（ステップ１０２）。図５では、ステップ１０１の後にステップ１０２を行っているが、これらが同時に行われてもよい。
【００３５】
ユーザ装置ＵＥは、個別タイマ情報により指定されたＳＣｅｌｌについて、指定された個別タイマ値を適用してタイマ起動、ＰＤＣＣＨ監視、タイマ満了監視等の制御を行うことにより、非アクティブ化タイマ制御を実行する（ステップ１０３）。また、ユーザ装置ＵＥは、アクティブな複数のＳＣｅｌｌのうち、個別タイマ情報により指定されていないＳＣｅｌｌがある場合、当該ＳＣｅｌｌについては共通タイマ値を適用して非アクティブ化タイマ制御を実行する。
【００３６】
個別、共通いずれの場合も、例えば、ユーザ装置ＵＥは、各ＳＣｅｌｌについて、アクティブ化信号もしくはＰＤＣＣＨ（リソース割り当て）を受信したら該当タイマを起動又は再起動（リスタート）し、アクティブ化信号もしくはＰＤＣＣＨを受信せずにタイマが満了したら（タイマ値の時間が経過したら）、該当するアクティブなＳＣｅｌｌを非アクティブ化する。
【００３７】
図６に、個別タイマ値を適用した場合におけるタイマ制御動作の例を示す。図６は、ＰＣｅｌｌ、ＳＣｅｌｌ＃１、ＳＣｅｌｌ＃２から構成されるＣＡの場合であり、図１と同様に、ＰＣｅｌｌ、ＳＣｅｌｌ＃１がマクロセルに相当し、ＳＣｅｌｌ＃２がスモールセルに相当する。また、ＳＣｅｌｌ＃１に対応する個別タイマ値は、ＳＣｅｌｌ＃２に対応する個別タイマ値よりも短い。
【００３８】
この場合、スモールセルについてスケジューリング機会が多くなるため、スモールセルへのオフロードゲインを大きくでき、レスポンスが向上する。また、マクロセル（ＳＣｅｌｌ＃１）が早期に非アクティベート化されるので、両方のＳＣｅｌｌが継続してアクティブである場合に比べて、バッテリーセービング効果が有る。
【００３９】
＜動作例２＞
次に、図７を参照して動作例２を説明する。動作例２は、ユーザ装置ＵＥが個別タイマ値に対応しておらず、基地局ｅＮＢが個別タイマ値に対応している場合の例である。
【００４０】
基地局ｅＮＢがユーザ装置ＵＥに対してＳＣｅｌｌ追加指示を送信することにより（ステップ２０１）、ユーザ装置ＵＥに１つ又は複数のＳＣｅｌｌが設定されるとともに、基地局ｅＮＢがユーザ装置ＵＥに対して共通タイマ値を送信する（ステップ２０２）。ユーザ装置ＵＥは、各ＳＣｅｌｌに対して、共通タイマ値を適用して非アクティブ化タイマ制御を行う（ステップ２０３）。
【００４１】
この例では、基地局ｅＮＢは、ユーザ装置ＵＥが個別タイマ値に対応していないことを把握しているため、共通タイマ値のみを送信しているが、仮に、基地局ｅＮＢにおいて、ユーザ装置ＵＥが個別タイマ値に対応しているかどうかわからない場合には、共通タイマ値と個別タイマ情報の両方を送信してもよい。その場合、ユーザ装置ＵＥが個別タイマ値に対応していないので、ユーザ装置ＵＥは、個別タイマ値を指示するｉｎｆｏｒｍａｔｉｏｎ  ｅｌｅｍｅｎｔを無視し、共通タイマ値のみを用いた従来と同様の制御を行う。このような制御の場合、例えば、ユーザ装置ＵＥから基地局ｅＮＢに対して、ユーザ装置ＵＥは共通タイマ値のみを使用する旨の信号を送信することが考えられる。これにより、基地局ｅＮＢは、ユーザ装置ＵＥにおいて共通タイマ値のみが使用されることを把握でき、ユーザ装置ＵＥと同期した非アクティブ化／アクティブ化の状態管理を行うことができる。
【００４２】
＜動作例３＞
次に、図８を参照して動作例３を説明する。動作例３は、ユーザ装置ＵＥが個別タイマ値に対応しており、基地局ｅＮＢが個別タイマ値に対応していない場合の例である。
【００４３】
基地局ｅＮＢがユーザ装置ＵＥに対してＳＣｅｌｌ追加指示を送信することにより（ステップ３０１）、ユーザ装置ＵＥに１つ又は複数のＳＣｅｌｌが設定されるとともに、基地局ｅＮＢがユーザ装置ＵＥに対して共通タイマ値を送信する（ステップ３０２）。
【００４４】
ユーザ装置ＵＥは、個別タイマ値に対応しているものの、基地局ｅＮＢから個別タイマ情報を受信しないため、各ＳＣｅｌｌに対して、共通タイマ値を適用して非アクティブ化タイマ制御を行う（ステップ３０３）。
【００４５】
上記のように、本実施の形態によれば、ユーザ装置ＵＥ及び基地局ｅＮＢにおいて、個別タイマ値に対応している場合／対応していない場合のどの場合においても適切に動作可能である。すなわち、バックワードコンパチビリティを維持しながら、個別タイマ値の設定が可能となる。
【００４６】
＜動作例４＞
次に、図９を参照して動作例４を説明する。動作例４において、ユーザ装置ＵＥは、個別タイマ値を規定していないリリースの仕様に基づくＵＥであるが、ＵＥの機能として個別タイマ値に対応する機能を備えている（Ｅａｒｌｙ  ｉｍｐｌｅｍｅｎｔａｔｉｏｎ）。また、基地局ｅＮＢは、個別タイマ値に対応している。この例では、ユーザ装置ＵＥは、個別タイマ値を規定していないリリース情報を基地局ｅＮＢに通知するので、基地局ｅＮＢは、ユーザ装置ＵＥが個別タイマ値に対応していないものと判断することになる。
【００４７】
そこで、本例では、図９に示すように、ユーザ装置ＵＥは、リリース情報とは別に、個別タイマ値に対応していることを示す能力情報を基地局ｅＮＢに送信する（ステップ４０１）。当該能力情報は、例えば、ＲＲＣ接続時に、ＲＲＣメッセージで送信してもよいし、他のタイミングで他の信号で送信してもよい。
【００４８】
能力情報を受信した基地局ｅＮＢは、ユーザ装置ＵＥが個別タイマ値に対応していることを把握できるので、図５の場合と同様に、共通タイマ値と個別タイマ情報を送信できる（ステップ４０２）。そして、図５の場合と同様に、ユーザ装置ＵＥは、個別タイマ情報により指定されたＳＣｅｌｌについて、指定された個別タイマ値を適用して非アクティブ化タイマ制御を実行し（ステップ４０３）、また、ユーザ装置ＵＥは、アクティブな複数のＳＣｅｌｌのうち、個別タイマ情報により指定されていないＳＣｅｌｌがある場合、当該ＳＣｅｌｌについては共通タイマ値を適用して非アクティブ化タイマ制御を実行する。
【００４９】
なお、動作例４における能力情報としては、ＵＥとして個別タイマ値に対応する能力があることを示す情報を通知してもよいし、バンドコンビネーション（ＣＡ可能なＣＣのバンド組み合わせ）毎に、個別タイマ値に対応する能力があるか否かを示す情報を通知してもよい。また、Ｄｕａｌ  Ｃｏｎｎｅｃｔｉｖｉｔｙに対応するユーザ装置ＵＥの場合は、ｅＮＢ（ＭｅＮＢ、ＳｅＮＢ）毎もしくはＣＧ（Ｃｅｌｌ  Ｇｒｏｕｐ）毎に、個別タイマ値に対応する能力があるか否かを示す情報を通知してもよい。
【００５０】
＜個別タイマ値の設定変更を行う場合の動作例（動作例５）＞
次に、図１０を参照して、個別タイマ値の設定変更を行う場合の動作例を説明する。本実施の形態では、ネットワークの状況やトラヒック状況に応じてＳＣｅｌｌ毎にタイマ値を設定可能であることから、基地局ｅＮＢの判断により、アクティブ中のＳＣｅｌｌに対してタイマ値が変更される場合もある。このような場合、例えば、基地局ｅＮＢ側では、ユーザ装置ＵＥにおいてＳＣｅｌｌ１に対して変更後のタイマ値Ｂが使用されているとの管理がされても、実際には、ユーザ装置ＵＥにおいて、ＳＣｅｌｌ１に対して変更前のタイマ値Ａが使用されている、といったようにタイマ値の認識ずれが生じる可能性がある。
【００５１】
そこで、動作例５では、タイマ値の認識ずれをできるだけなくするために、例えば、図１０に示すように、基地局ｅＮＢからユーザ装置ＵＥにタイマ値変更指示（図１０の例では、ＳＣｅｌｌ１のタイマ値を変更）が送信される（ステップ５０１）と、ユーザ装置ＵＥは、当該変更指示に係るＳＣｅｌｌ１のタイマを再起動（リスタート）し、変更後のタイマ値で、起動したタイマの満了管理を行う（ステップ５０２）。
【００５２】
上記のような動作の他、ＳＣｅｌｌ１のタイマ値変更指示時に、当該ＳＣｅｌｌを、基地局ｅＮＢからの命令で非アクティベート化してもよい。また、基地局ｅＮＢからの命令でなく、ユーザ装置ＵＥは、タイマ値変更指示を受けたときに、当該ＳＣｅｌｌを非アクティブ化してもよい。その後、基地局ｅＮＢは必要に応じて当該ＳＣｅｌｌをアクティブ化し、ユーザ装置ＵＥは、そこから新しいタイマ値を適用する。また、タイマ値変更時には、ＳＣｅｌｌを削除し、新たにＳＣｅｌｌを追加することとしてもよい。追加したＳＣｅｌｌがアクティブ化されたときに、変更後のタイマ値が適用される。
【００５３】
なお、動作例４、動作例５は他の各動作例と組み合わせて実施可能である。また、本実施の形態における全ての動作例に関し、個別タイマ値に対応しているユーザ装置ＵＥにおいて、ハンドオーバ時もしくは再設定（ｒｅｃｏｎｆｉｇｕｒａｔｉｏｎ）時に個別タイマ情報が基地局ｅＮＢから指示されない場合には、共通タイマ値を用いることとしてよい。
【００５４】
また、基地局ｅＮＢは、共通タイマ値と異なる値の個別タイマ値のみを通知することとしてもよい。つまり、基地局ｅＮＢは、ＳＣｅｌｌに、共通タイマ値と異なるタイマ値を設定した場合にのみ、個別タイマ情報を通知するようにしてもよい。
【００５５】
そして、基地局ｅＮＢからユーザ装置ＵＥに共通タイマ値とともに個別タイマ情報が通知される場合に、ユーザ装置ＵＥは、当該個別タイマ情報に含まれる各個別タイマ値と、共通タイマ値とを比較し、共通タイマ値と同じ値の個別タイマ値が存在する場合には、当該ＲＲＣシグナリング信号（例：ＲＲＣ  ｒｅｃｏｎｆｉｇｕｒａｔｉｏｎ）に異常（ｆａｉｌｕｒｅ）があると判定してもよい。
【００５６】
（メッセージ例）
図１１Ａに、個別タイマ情報を含むＲＲＣメッセージにおける情報要素の例であるＭＡＣ−ＭａｉｎＣｏｎｆｉｇ  ｉｎｆｏｒｍａｔｉｏｎ  ｅｌｅｍｅｎｔ（抜粋）を示す。図１１Ａにおいて、ＤｅｄｉｃａｔｅｄｓＣｅｌｌＤｅａｃｔｉｖａｔｉｏｎＴｉｍｅｒの情報が、本実施の形態における個別タイマ情報に相当する。図１１Ｂは、ＬＴＥの規格書に掲載される形式でのＭＡＣ−ＭａｉｎＣｏｎｆｉｇ  ｆｉｅｌｄ  ｄｅｓｃｒｉｐｔｉｏｎｓ（抜粋）の例である。図１１Ｂには、本実施の形態に相当するＤｅｄｉｃａｔｅｄｓＣｅｌｌＤｅａｃｔｉｖａｔｉｏｎＴｉｍｅｒの説明に加えて、既存のｓＣｅｌｌＤｅａｃｔｉｖａｔｉｏｎＴｉｍｅｒの説明も示されている。
【００５７】
（装置構成例）
次に、これまでに説明した動作を行うことができるユーザ装置ＵＥと基地局ｅＮＢの装置構成の例を説明する。
【００５８】
＜ユーザ装置ＵＥ＞
図１２に、本発明の実施の形態におけるユーザ装置ＵＥの機能構成図を示す。図１２に示すように、ユーザ装置ＵＥは、ＤＬ信号受信部１０１、ＵＬ信号送信部１０２、動作制御部１０３、ＣＡ状態管理部１０４、タイマ管理部１０５を備える。なお、図１２は、ユーザ装置ＵＥにおいて本発明に特に関連する機能部のみを示すものであり、ユーザ装置ＵＥは、少なくともＬＴＥに準拠した動作を行うための図示しない機能も有するものである。
【００５９】
ＤＬ信号受信部１０１は、基地局ｅＮＢから各種の下り信号を受信し、受信した物理レイヤの信号からより上位のレイヤの情報を取得する機能を含み、ＵＬ信号送信部１０２は、ユーザ装置ＵＥから送信されるべき上位のレイヤの情報から、物理レイヤの各種信号を生成し、基地局ｅＮＢに対して送信する機能を含む。また、ＤＬ信号受信部１０１及びＵＬ信号送信部１０２は、複数のＣＣ（ＰＣｅｌｌ、ＳＣｅｌｌ）を利用したＣＡにより通信を行う機能も備えている。なお、本実施の形態におけるＣＡ（キャリアアグリゲーション）は、Ｉｎｔｒａ−ｅＮＢ  ＣＡのみならず、Ｉｎｔｅｒ−ｅＮＢ  ＣＡ（すなわち、Ｄｕａｌ  Ｃｏｎｎｅｃｔｉｖｉｔｙ）も含む。
【００６０】
動作制御部１０３は、これまでに説明したように、ＲＲＣシグナリングに基づくタイマ値の設定、設定変更、ＳＣｅｌｌの追加、削除や、ＭＡＣ信号に基づくアクティブ化／非アクティブ化制御、タイマ制御、ＣＡ動作制御等を実施する。また、動作制御部１０３は、複数のＳＣｅｌｌに共通の共通タイマ値と、ＳＣｅｌｌ毎に指定される個別タイマ値とを含む設定情報を基地局ｅＮＢから受信した場合に、個別タイマ値を指定されたセルに適用してタイマ制御を行うとともに、個別タイマ値の指定がないＳＣｅｌｌが使用されている場合に、当該ＳＣｅｌｌに対して共通タイマ値を適用してタイマ制御を行う。
【００６１】
ＣＡ状態管理部１０４には、ＣＡ状態の最新の情報（設定されているＳＣｅｌｌの情報、ＳＣｅｌｌ毎のアクティブ／非アクティブの情報等）が格納され、動作制御部１０３から参照される。タイマ管理部１０５は、動作制御部１０３からの指示に基づき、ＳＣｅｌｌ毎に、共通タイマ値又は個別タイマ値に基づくタイマの起動（再起動）を行うとともに、各タイマが満了するかどうかを把握する。タイマが満了した場合は動作制御部１０３に通知される。
【００６２】
＜基地局ｅＮＢ＞
図１３に、本発明の実施の形態における基地局ｅＮＢの機能構成図を示す。図１３に示すように、基地局ｅＮＢは、ＤＬ信号送信部２０１、ＵＬ信号受信部２０２、ＣＡ制御部２０３、ＵＥ状態管理部２０４を有する。なお、図１３は、基地局ｅＮＢにおいて本発明の実施の形態に特に関連する機能部のみを示すものであり、基地局ｅＮＢは、少なくともＬＴＥに準拠した動作を行うための図示しない機能も有するものである。
【００６３】
ＤＬ信号送信部２０１は、基地局ｅＮＢから送信されるべき上位のレイヤの情報から、物理レイヤの各種信号を生成し、送信する機能を含む。ＵＬ信号受信部２０２は、ユーザ装置ＵＥから各種の上り信号を受信し、受信した物理レイヤの信号からより上位のレイヤの情報を取得する機能を含む。また、ＤＬ信号送信部２０１及びＵＬ信号受信部２０２は、複数のＣＣ（ＰＣｅｌｌ、ＳＣｅｌｌ）を利用したＣＡにより通信を行う機能も備えている。
【００６４】
本実施の形態におけるＣＡ制御部２０３は、ＵＥ状態管理部２０４に格納されている情報に基づいて、これまでに説明した共通タイマ値や個別タイマ情報を含むＲＲＣシグナリング情報を生成し、ＤＬ信号送信部２０１から送信する機能、アクティブ化／非アクティブ化信号を生成し、ＤＬ信号送信部２０１から送信する機能等を含む。また、ＣＡ制御部２０３は、ユーザ装置ＵＥの能力情報等に基づいて、複数のＳＣｅｌｌに共通の共通タイマ値を含む設定情報、又は、当該共通タイマ値とＳＣｅｌｌ毎に指定される個別タイマ値との両方を含む設定情報をユーザ装置ＵＥに送信する機能を含む。
【００６５】
ＵＥ状態管理部２０４は、これまでに説明した能力情報を各ＵＥから受信して格納するとともに、ＵＥ毎に、ＳＣｅｌｌ毎の状態（アクティブ／非アクティブ、タイマ状態等）を管理している。
【００６６】
ユーザ装置ＵＥと基地局ｅＮＢの動作は動作例１〜５等として説明したとおりであるが、図１４には、ユーザ装置ＵＥにおけるタイマ値の設定動作、制御動作例が示される。図１４に示すように、ユーザ装置ＵＥの動作制御部１０３は、基地局ｅＮＢからのＲＲＣシグナリングに基づきＳＣｅｌｌを追加する（ステップ６０１）。この動作例では、当該ＲＲＣシグナリングにタイマの情報も含まれている。
【００６７】
動作制御部１０３は、ＲＲＣシグナリングにより受信した情報に、個別タイマ情報があるかどうかをチェックし（ステップ６０２）、ある場合（ステップ６０２のＹｅｓ）はステップ６０３に進み、ない場合（ステップ６０２のＮｏ）はステップ６０４に進む。
【００６８】
ステップ６０３では、動作制御部１０３は、個別タイマ情報にて指定されたＳＣｅｌｌに対して該当個別タイマ値を適用して非アクティブ化タイマ制御を実施する。また、動作制御部１０３は、個別タイマ情報にて指定されていないアクティブのＳＣｅｌｌに対して共通タイマ値を適用して非アクティブ化タイマ制御を実施する。ステップ６０４では、動作制御部１０３は、各ＳＣｅｌｌに対して共通タイマ値を適用して非アクティブ化タイマ制御を実施する。
【００６９】
（実施の形態のまとめ、効果等について）
本発明の実施の形態では、キャリアアグリゲーションによりユーザ装置と基地局との間で通信を行う移動通信システムにおける前記ユーザ装置であって、前記キャリアグリゲーションに使用されるセルをタイマの満了に基づき非アクティブ化するタイマ制御を行う制御部と、前記基地局から、前記制御部において使用されるタイマのタイマ値を含む設定情報を受信する受信部と、を備え、前記受信部により、前記キャリアグリゲーションに使用される複数のセルに共通の共通タイマ値と、セル毎に指定される個別タイマ値とを含む設定情報を受信した場合に、前記制御部は、前記個別タイマ値を、指定されたセルに適用してタイマ制御を行うとともに、個別タイマ値の指定がないセルが使用されている場合に、当該セルに対して前記共通タイマ値を適用してタイマ制御を行うユーザ装置が提供される。
【００７０】
この構成により、セル共通のタイマ値の設定が行われる移動通信システムにおいて、セル個別のタイマ値を設定する場合でも、適切に非アクティブ化タイマ制御を行うことが可能となる。
【００７１】
前記受信部が、前記個別タイマ値を含まずに前記共通タイマ値を含む設定情報を前記基地局から受信した場合に、前記制御部は、各セルに対して当該共通タイマ値を適用してタイマ制御を行うこととしてもよい。この構成により、ユーザ装置は、個別タイマ値をサポートしていない基地局と接続する場合でも、適切に非アクティブ化タイマ制御を行うことが可能となる。
【００７２】
前記受信部が、前記基地局から前記個別タイマ値の変更指示を受信した場合に、前記制御部は、当該個別タイマ値の対象となるセルのタイマを再起動し、変更後の個別タイマ値を適用することとしてもよい。この構成により、基地局における個別タイマ値の変更を、迅速にユーザ装置に反映でき、タイマ値のずれの発生を抑制できる。
【００７３】
前記受信部が、前記基地局から前記個別タイマ値の変更指示を受信した場合に、前記制御部は、当該個別タイマ値の対象となるセルを非アクティブ化又は削除し、当該セルがアクティブ化されたときに当該セルに前記変更指示に係る個別タイマ値を適用することとしてもよい。この構成により、基地局とユーザ装置間で、非アクティブ化制御に係るタイマ値のずれの発生を抑制できる。
【００７４】
前記受信部により、共通タイマ値と、１つ又は複数の個別タイマ値とを含む設定情報を受信した場合に、前記制御部は、各個別タイマ値と共通タイマ値とを比較し、共通タイマ値と一致する個別タイマ値が存在する場合に、前記設定情報に異常があると判定することとしてもよい。この構成により、基地局が、共通タイマ値と異なる個別タイマ値のみを通知することとする場合において、設定情報の異常を検知することができる。
【００７５】
前記制御部は、前記ユーザ装置が個別タイマ値を適用可能であることを示す能力情報を前記基地局に送信することとしてもよい。この構成により、基地局は、ユーザ装置が個別タイマ値による制御をサポートしていることを把握でき、個別タイマ値の通知を適切に行うことができる。
【００７６】
前記タイマ制御の対象となるセルはＳＣｅｌｌであることとしてもよい。この構成により、ＬＴＥに適した非アクティブ化制御を行うことが可能となる。
【００７７】
本実施の形態で説明したユーザ装置の機能構成は、ＣＰＵとメモリを備えるユーザ装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００７８】
本実施の形態で説明した基地局の機能構成は、ＣＰＵとメモリを備える基地局において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００７９】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００８０】
本発明は上記実施形態に限定されず、本発明の精神から逸脱することなく、様々な変形例、修正例、代替例、置換例等が本発明に包含される。
【００８１】
本国際特許出願は２０１４年７月１５日に出願した日本国特許出願第２０１４−１４５３９７号に基づきその優先権を主張するものであり、日本国特許出願第２０１４−１４５３９７号の全内容を本願に援用する。
【符号の説明】
【００８２】
ｅＮＢ  基地局
ＵＥ  ユーザ装置
１０１  ＤＬ信号受信部
１０２  ＵＬ信号送信部
１０３  動作制御部
１０４  ＣＡ状態管理部
１０５  タイマ管理部
２０１  ＤＬ信号送信部
２０２  ＵＬ信号受信部
２０３  ＣＡ制御部
２０４  ＵＥ状態管理部
【図１】
2016010001.tif 000003
【図２】
2016010001.tif 000004
【図３】
2016010001.tif 000005
【図４】
2016010001.tif 000006
【図５】
2016010001.tif 000007
【図６】
2016010001.tif 000008
【図７】
2016010001.tif 000009
【図８】
2016010001.tif 000010
【図９】
2016010001.tif 000011
【図１０】
2016010001.tif 000012
【図１１Ａ】
2016010001.tif 000013
【図１１Ｂ】
2016010001.tif 000014
【図１２】
2016010001.tif 000015
【図１３】
2016010001.tif 000016
【図１４】
2016010001.tif 000017
【国際調査報告】
2016010001.tif 000018
2016010001.tif 000019
2016010001.tif 000020
2016010001.tif 000021